(57)【特許請求の範囲】
【請求項１】
建築物の構成を示す情報、及び、当該建築物に設置される１以上の設備を示す情報を含む建築モデルデータから、前記１以上の設備のうちの１つである特定の設備が設置される空間を表すレイアウト画像と、前記特定の設備を表すオブジェクトであって、前記レイアウト画像内の、前記特定の設備の設置位置に対応する位置に配置されたオブジェクトとを含む画面情報を抽出するステップと、
前記レイアウト画像を含むアドレス入力画面を生成して表示し、前記特定の設備に割り当てられたアドレスの入力を受け付けることで、前記オブジェクトと前記アドレスとを関連付けるステップとを含む
情報作成方法。
【請求項２】
建築物の構成を示す構成情報、及び、当該建築物に設置される１以上の設備を示す設備情報を含む建築モデルデータから、前記１以上の設備のうちの１つである特定の設備を示す特定設備情報を抽出するステップと、
抽出した特定設備情報に含まれる前記特定の設備の位置と前記構成情報とに基づいて、前記特定の設備が設置される空間を表すレイアウト画像を生成するステップと、
前記特定の設備を表すオブジェクトを決定するステップと、
決定した前記オブジェクトと、前記特定の設備に割り当てられたアドレスとを関連付けるステップと、
前記レイアウト画像と、前記レイアウト画像内の、前記特定の設備の設置位置に対応する位置に配置されたオブジェクトとを含む画面情報を作成するステップとを含む
情報作成方法。
【請求項３】
前記抽出するステップでは、前記特定の設備の制御に用いる制御情報をさらに抽出し、
前記関連付けるステップでは、さらに、前記オブジェクトと前記制御情報とを関連付ける
請求項１又は２に記載の情報作成方法。
【請求項４】
さらに、
前記オブジェクトのグループ化を行うステップを含む
請求項１〜３のいずれか１項に記載の情報作成方法。
【請求項５】
前記レイアウト画像は、前記空間を３次元で表す画像である
請求項１〜４のいずれか１項に記載の情報作成方法。
【請求項６】
前記抽出するステップでは、さらに、前記１以上の設備の種別と前記１以上の設備の動作状態との組み合わせ毎に異なる複数のアイコン画像の中から、前記特定の設備の種別と前記特定の設備の動作状態との組み合わせに対応するアイコン画像を、前記オブジェクトとして決定する
請求項１〜５のいずれか１項に記載の情報作成方法。
【請求項７】
前記抽出するステップでは、さらに、サイズが異なる複数のアイコン画像の中から、前記レイアウト画像の表示サイズに応じたサイズのアイコン画像を、前記オブジェクトとして決定する
請求項１〜５のいずれか１項に記載の情報作成方法。
【請求項８】
前記画面情報は、前記オブジェクトと前記レイアウト画像とが同一レイヤーで形成されている
請求項１〜７のいずれか１項に記載の情報作成方法。
【請求項９】
請求項１〜８のいずれか１項に記載の情報作成方法をコンピュータに実行させるためのプログラム。
【請求項１０】
建築物の構成を示す情報、及び、当該建築物に設置される１以上の設備を示す情報を含む建築モデルデータを記憶する記憶部と、
前記記憶部に記憶された建築モデルデータから、前記１以上の設備のうちの１つである特定の設備が設置される空間を表すレイアウト画像と、前記特定の設備を表すオブジェクトであって、前記レイアウト画像内の、前記特定の設備の設置位置に対応する位置に配置されたオブジェクトとを含む画面情報を抽出する抽出部と、
前記レイアウト画像を含むアドレス入力画面を生成して表示部に表示し、前記特定の設備に割り当てられたアドレスの入力を受け付けることで、前記オブジェクトと前記アドレスとを関連付ける関連付け部とを備える
情報作成システム。
【請求項１１】
建築物の構成を示す構成情報、及び、当該建築物に設置される１以上の設備を示す設備情報を含む建築モデルデータを記憶する記憶部と、
前記記憶部に記憶された建築モデルデータから、前記１以上の設備のうちの１つである特定の設備を示す特定設備情報を抽出し、抽出した特定設備情報に含まれる前記特定の設備の位置と前記構成情報とに基づいて、前記特定の設備が設置される空間を表すレイアウト画像を生成し、前記特定の設備を表すオブジェクトを決定する抽出部と、
前記抽出部によって決定された前記オブジェクトと、前記特定の設備に割り当てられたアドレスとを関連付けることで、前記レイアウト画像と、前記レイアウト画像内の、前記特定の説明の設置位置に対応する位置に配置されたオブジェクトとを含む画面情報を作成する関連付け部とを備える
情報作成システム。
【発明の詳細な説明】
【技術分野】
【０００１】
本発明は、情報作成方法、情報作成システム及びプログラムに関する。
【背景技術】
【０００２】
従来、携帯端末などを用いて、住宅内の複数の電子機器を操作することが行われている。例えば、特許文献１には、表示画面上に見取り図を表示するとともに、電子機器のアイコンを表示する機器管理システムが開示されている。特許文献１に記載の危機管理システムでは、表示画面上に表示されたアイコンを選択することで、対応する電子機器を操作することができる。
【先行技術文献】
【特許文献】
【０００３】
【特許文献１】特開２０１４−１６４３４６号公報
【発明の概要】
【発明が解決しようとする課題】
【０００４】
上記従来の機器管理システムでは、見取り図上に電子機器に対応したアイコンが表示されるので、ユーザは直感的に電子機器の配置などを把握しやすいという利点がある。しかしながら、操作対象とすべき電子機器に対応するアイコンを１つずつユーザが見取り図内の所定の位置に移動させるなどの登録作業が必要である。このため、登録するアイコンの数が増えるにつれて、ユーザには煩雑な作業が要求され、利便性が悪くなる。
【０００５】
そこで、本発明は、直感性に優れた制御画面を簡単に生成することができる情報作成方法、情報作成システム及びプログラムを提供することを目的とする。
【課題を解決するための手段】
【０００６】
上記目的を達成するため、本発明の一態様に係る情報作成方法は、建築物の構成を示す情報、及び、当該建築物に設置される１以上の設備を示す情報を含む建築モデルデータから、前記１以上の設備のうちの１つである特定の設備が設置される空間を表すレイアウト画像と、前記特定の設備を表すオブジェクトであって、前記レイアウト画像内の、前記特定の設備の設置位置に対応する位置に配置されたオブジェクトとを含む画面情報を抽出するステップと、前記オブジェクトと、前記特定の設備に割り当てられたアドレスとを関連付けるステップとを含む。
【０００７】
また、本発明の一態様に係る情報作成システムは、建築物の構成を示す情報、及び、当該建築物に設置される１以上の設備を示す情報を含む建築モデルデータを記憶する記憶部と、前記記憶部に記憶された建築モデルデータから、前記１以上の設備のうちの１つである特定の設備が設置される空間を表すレイアウト画像と、前記特定の設備を表すオブジェクトであって、前記レイアウト画像内の、前記特定の設備の設置位置に対応する位置に配置されたオブジェクトとを含む画面情報を抽出する抽出部と、前記オブジェクトと、前記特定の設備に割り当てられたアドレスとを関連付ける関連付け部とを備える。
【０００８】
また、本発明の一態様に係るプログラムは、上記情報作成方法をコンピュータに実行させるためのプログラムである。あるいは、本発明の一態様は、当該プログラムを格納したコンピュータ読み取り可能な記録媒体として実現することもできる。
【発明の効果】
【０００９】
本発明に係る情報作成方法などによれば、直感性に優れた制御画面を簡単に生成することができる。
【図面の簡単な説明】
【００１０】
【図１】実施の形態に係る情報作成システムの構成を示すブロック図である。
【図２】実施の形態に係るＢＩＭデータに含まれる構成情報及び設備情報を図面化したレイアウト画像の一例を示す図である。
【図３】実施の形態に係るＢＩＭデータに含まれる設備情報を含む属性情報画面の一例を示す図である。
【図４】実施の形態に係る情報作成方法における制御画面に表示されるオブジェクトと、設備とを対応付けた対応テーブルを示す図である。
【図５】実施の形態に係る情報作成システムの動作（情報作成方法）を示すフローチャートである。
【図６】実施の形態に係る情報作成方法におけるアドレス入力画面の一例を示す図である。
【図７】実施の形態に係る情報作成方法における設備のグループ化画面の一例を示す図である。
【図８】実施の形態に係る情報作成方法における制御画面の一例を示す図である。
【図９】実施の形態に係る情報作成方法における設備のシーン設定画面の一例を示す図である。
【図１０】実施の形態の変形例１に係る情報作成方法における制御画面の一例を示す図である。
【図１１】実施の形態の変形例２に係る情報作成方法における制御画面に表示されるアイコン画像と、設備とを対応付けた対応テーブルを示す図である。
【図１２】実施の形態の変形例２に係る情報作成方法における制御画面の一例を示す図である。
【発明を実施するための形態】
【００１１】
以下では、本発明の実施の形態に係る情報作成方法、情報作成システム及びプログラムについて、図面を用いて詳細に説明する。なお、以下に説明する実施の形態は、いずれも本発明の一具体例を示すものである。したがって、以下の実施の形態で示される数値、形状、材料、構成要素、構成要素の配置及び接続形態、ステップ、ステップの順序などは、一例であり、本発明を限定する趣旨ではない。よって、以下の実施の形態における構成要素のうち、本発明の最上位概念を示す独立請求項に記載されていない構成要素については、任意の構成要素として説明される。
【００１２】
また、各図は、模式図であり、必ずしも厳密に図示されたものではない。したがって、例えば、各図において縮尺などは必ずしも一致しない。また、各図において、実質的に同一の構成については同一の符号を付しており、重複する説明は省略又は簡略化する。
【００１３】
（実施の形態）
［概要］
まず、本実施の形態に係る情報作成システムの概要について、図１を用いて説明する。図１は、本実施の形態に係る情報作成システム１０の構成を示すブロック図である。
【００１４】
情報作成システム１０は、建築モデルデータの一種であるＢＩＭ（Building Information Modeling）データ２２を用いて、建築物に設置された複数の設備１１を制御するための制御データ３２を作成するシステムである。図１に示すように、情報作成システム１０は、制御データ３２を作成する情報作成装置２０を備える。
【００１５】
本実施の形態に係る建築物は、オフィスビル又は商業ビルなどの住宅用途ではない建物であるが、これに限定されない。建築物は、集合住宅又は戸建て住宅などの住宅でもよい。また、建築物は、学校、スーパーマーケット、コンビニエンスストア、スポーツ施設、ホテル、美術館、博物館、病院、倉庫、工場などの施設でもよい。また、建築物は、道路、橋梁などの構造物も含む概念である。建築物は、建築物全体に限らず、集合住宅における住戸などのように建築物の一部でもよい。
【００１６】
設備１１は、建築物に設置される設備であり、制御データ３２を用いた制御の対象となる設備である。具体的には、設備１１は、管理装置３０によって制御される設備である。設備１１には、照明設備、空調設備、ブラインド、シャッタ、防災設備、防犯設備、給水設備、排水設備、エレベータ、エスカレータ、冷蔵設備（又は冷凍設備）などが含まれる。設備１１には、映像設備、音響設備などが含まれてもよい。
【００１７】
図１に示すように、本実施の形態では、情報作成システム１０は、さらに、管理装置３０と、操作端末４０とを備える。管理装置３０は、情報作成装置２０が作成した制御データ３２を管理し、かつ、操作端末４０からの指示に基づいて、制御データ３２を用いて複数の設備１１の制御を行う。
【００１８】
以下では、まず、本実施の形態に係る情報作成システム１０が利用するＢＩＭデータ２２について説明する。
【００１９】
［ＢＩＭデータ］
ＢＩＭデータ２２は、建築物の構成を示す構成情報と、当該建築物に設置される１以上の設備１１を示す設備情報とを含んでいる。つまり、ＢＩＭデータ２２は、建築物に関連する様々なデータの総体である。具体的には、ＢＩＭデータ２２には、３次元ＣＡＤ（Computer Aided Design）図面のような建築物のレイアウト、形状及び寸法を示すデータだけでなく、建築物を構成する個々の部材を示すデータ、建築物に設置された複数の設備１１を示すデータなどが統合されている。ＢＩＭデータ２２は、建築物についての意匠設計、構造設計、設備設計が終了することで作成され、建築物の意匠、構造、設備１１に関する様々な情報を含んでいる。
【００２０】
具体的には、ＢＩＭデータ２２は、建築物の構成を示す構成情報として、建築物を構成する複数の部材の各々の名称、形状、寸法、配置、仕様、メーカ名、品番などの属性情報を含んでいる。部材の形状は、例えば、３次元の形状であり、部材の配置は、建築物においてその部材を使用する３次元の位置である。
【００２１】
また、ＢＩＭデータ２２は、建築物の設備１１を示す設備情報として、設備１１を構成する機器（設備機器）の名称、種類、配置、仕様、メーカ名、品番などの属性情報を含んでいる。設備１１の配置は、建築物においてその設備１１を設置する３次元の位置である。
【００２２】
本実施の形態に係る設備情報には、設備１１の制御情報が含まれる。制御情報は、設備１１の制御に用いる情報である。例えば、制御情報は、設備１１が実行可能な機能などを示す情報である。また、設備１１のアドレスの関連付け及び設備１１のグループ化が行われた後では、制御情報には、アドレス情報及びグループ情報などが含まれる。つまり、ＢＩＭデータ２２には、アドレス情報及びグループ情報などが適宜追加されて管理される。
【００２３】
アドレス情報は、設備１１に割り当てられたアドレスを示す情報であり、設備１１のオブジェクトとアドレスとの関連付けを行うことで生成される情報である。グループ情報は、設備１１が属するグループを示す情報であり、設備１１のオブジェクトのグループ化を行うことで生成される情報である。
【００２４】
なお、アドレスの関連付け及びグループ化の詳細については、後で説明する。また、オブジェクトは、具体的には、表示画面に表示されるＧＵＩ（Graphical User Interface）オブジェクトである。オブジェクトの詳細についても後で説明する。
【００２５】
ＢＩＭデータ２２に含まれる構成情報と設備情報とに基づいて、建築物のレイアウト画像を生成することができる。レイアウト画像は、建築物の所定の空間毎に生成される図面情報であり、空間毎のレイアウト、設備の配置などを２次元又は３次元の見取り図で示す図面情報である。
【００２６】
図２は、本実施の形態に係るＢＩＭデータ２２に含まれる構成情報及び設備情報を図面化したレイアウト画像１００の一例を示す図である。図２に示すレイアウト画像１００は、空間を２次元で表す画像である。具体的には、レイアウト画像１００は、所定の空間のレイアウト（間取り）を示している。ここで、所定の空間は、建築物の全体又は一部であり、例えば、一棟、フロア、部屋、領域（ゾーン）である。例えば、図２では、所定の空間は、建築物の１つのフロアである。レイアウトは、所定の空間に含まれる１以上の部屋の配置だけでなく、各部屋の大きさ及び形状も示す情報である。
【００２７】
レイアウト画像１００は、所定の空間に用いられる建材などの部材の属性情報に基づいて生成される。具体的には、レイアウト画像１００は、所定の空間に用いられる複数の部材（例えば、柱材及び壁材）の各々の属性情報のうち、部材の大きさ及び配置を示す情報に基づいて、２次元画像内に各部材を模式的に配置することで形成される。
【００２８】
レイアウト画像１００は、さらに、空間に設置された設備１１と、設備１１の配置とを示している。例えば、図２では、設備１１の一例として、１２台の照明器具１０２が空間内に設置されていることを示している。なお、照明器具１０２の台数（個数）は、１つでもよく、特に限定されない。
【００２９】
レイアウト画像１００に含まれる部材と照明器具１０２などの設備とは、例えば、タッチセンサ、マウスなどのポインティングデバイスなどの入力装置を用いて選択されることができる。レイアウト画像１００内で照明器具１０２（設備１１）を選択された場合、選択された照明器具１０２の設備情報が表示される。例えば、図３に示す属性情報画面１１０が表示される。図３は、ＢＩＭデータ２２に含まれる設備情報を含む属性情報画面１１０の一例を示す図である。
【００３０】
属性情報画面１１０は、図２に示す複数の照明器具１０２のうちの１つに関する属性情報をユーザに提示するための画面である。属性情報画面１１０は、ユーザが操作可能な画面であり、例えば、図２に示すレイアウト画像１００内で照明器具１０２が選択された場合に表示される。本実施の形態では、ユーザは、建築物のエンドユーザ（例えば、居住者）だけでなく、建築物の施工者及び管理者などの建築物に関係を有する者を含む。
【００３１】
属性情報画面１１０には、図３に示すように、選択された設備１１の名称を示す名称１１１、及び、選択された設備の取り付け位置などのパラメータ１１２と、パラメータ１１２に対応する値１１３とが含まれる。
【００３２】
名称１１１は、例えばドロップダウンリストで示される。ここでは、照明器具１０２が選択されているので、名称１１１は、一例として「照明器具Ａ」というテキストを示している。
【００３３】
パラメータ１１２は、種類、配置、仕様、メーカ名、品番などの設備の主な特性を表す変数であり、各々に値１１３が対応付けられている。図３に示す例では、照明器具１０２のパラメータ１１２には、照明器具１０２の取り付け位置、照明器具１０２の識別情報であるアドレス、寸法、機能及びグループなどが含まれている。
【００３４】
値１１３は、対応するパラメータ１１２の具体的な数値などである。例えば、値１１３には、３次元座標値、アドレス値、３次元寸法値、調光機能又は調色機能の有無を示すフラグ、及び、所属するグループを示す値などが含まれる。
【００３５】
本実施の形態では、値１１３は、例えばテキストボックスで示され、ユーザによる追加又は修正が可能である。属性情報画面１１０には、図３に示すように、追加又は修正した値１１３を確定（更新）するためのＯＫボタン１１４と、追加又は修正した値を元に戻すためのキャンセルボタン１１５とが含まれている。ＯＫボタン１１４が押された場合には、ＢＩＭデータ２２内の該当するデータが更新される。
【００３６】
以上のように、ＢＩＭデータ２２には構成情報と設備情報とが含まれているので、例えば、情報作成装置２０は、ユーザが指定した空間のレイアウト画像１００などを表示部に表示させることができる。また、情報作成装置２０は、当該空間に含まれる部材及び設備１１などの属性情報を表示部に表示させることができる。ここで、表示部は、操作端末４０の表示部４１（図１参照）でもよく、あるいは、情報作成装置２０又は管理装置３０が備えるモニタ（図示せず）などのディスプレイでもよい。後述する表示部についても同様である。
【００３７】
ＢＩＭデータ２２は、一般的な使用の態様としては、建築物の設計及び建築に利用され、建築物の完成後は、建築物の保守管理などに利用される。これに対して、本実施の形態に係る情報作成システム１０では、ＢＩＭデータ２２を、建築物の設備１１の動作状態を制御するための制御データ３２の作成に利用する。以下では、本実施の形態に係る情報作成システム１０に含まれる各装置について、詳細に説明する。
【００３８】
［情報作成装置］
情報作成装置２０は、情報作成システム１０の主たる装置であり、制御データ３２を作成するための情報作成方法を実行する装置である。情報作成装置２０は、ＬＡＮ（Local Area Network）などのネットワークで管理装置３０と接続されている。情報作成装置２０は、制御データ３２を管理装置３０に送信する。情報作成装置２０は、例えば、１台以上のコンピュータ機器で構成される。
【００３９】
図１に示すように、情報作成装置２０は、ＢＩＭデータ２２を記憶する記憶部２１と、抽出部２３と、関連付け部２４とを備える。
【００４０】
記憶部２１は、ＢＩＭデータ２２を記憶する記憶装置であり、例えば、ＨＤＤ（Hard Disk Drive）又は半導体メモリなどの不揮発性メモリである。なお、記憶部２１には、情報作成装置２０が実行する情報作成プログラムなどが格納されていてもよい。
【００４１】
抽出部２３は、ＢＩＭデータ２２から画面情報を抽出する。画面情報は、特定の設備が設置される空間を表すレイアウト画像と、特定の設備を表すオブジェクトとを含んでいる。本実施の形態では、画面情報は、さらに、特定の設備の制御に用いる制御情報を含んでいる。画面情報の詳細は、図８を用いて後で説明する。
【００４２】
抽出部２３は、特定の設備を制御するために必要な情報をＢＩＭデータ２２から抽出する。特定の設備は、例えば、建築物に含まれる１以上の設備の中からユーザが指定した設備である。例えば、特定の設備は、制御対象の設備（機器）である。あるいは、特定の設備は、建築物に含まれる１以上の設備の中からコンピュータが自動的に選択した設備でもよい。例えば、特定の設備は、当該設備の制御に用いる画面情報がまだ作成されていない設備である。本実施の形態では、特定の設備が照明器具１０２である例について説明する。
【００４３】
具体的には、抽出部２３は、ＢＩＭデータ２２を参照することで、設備情報を抽出する。抽出した設備情報には、照明器具１０２の機能（例えば、調光及び調色など）を示す情報、並びに、アドレス情報及びグループ情報などが含まれる。
【００４４】
また、抽出した設備情報には、照明器具１０２の設置位置が含まれている。抽出部２３は、照明器具１０２の設置位置に基づいて、照明器具１０２が設置される空間を特定する。
【００４５】
抽出部２３は、特定した空間を構成する複数の部材の属性情報に基づいて、当該空間のレイアウト画像を生成する。あるいは、複数の空間の各々のレイアウト画像がＢＩＭデータ２２に予め含まれている場合は、特定した空間に対応するレイアウト画像をＢＩＭデータ２２から抽出する。
【００４６】
本実施の形態では、抽出部２３は、さらに、特定の設備のオブジェクトを決定する。具体的には、抽出部２３は、１以上の設備の種別と１以上の設備の動作状態との組み合わせ毎に異なる複数のアイコン画像の中から、特定の設備の種別とその動作状態との組み合わせに対応するアイコン画像を、オブジェクトとして決定する。複数のアイコン画像の具体例については、図４を用いて後で説明する。
【００４７】
関連付け部２４は、特定の設備のオブジェクトと、当該設備に割り当てられたアドレスとを関連付ける。本実施の形態では、関連付け部２４は、さらに、オブジェクトと制御情報とを関連付ける。
【００４８】
具体的には、アドレスの関連付けとは、実際に建築物に設置された設備１１（又は、設置されようとしている設備１１）を制御可能になるように、プログラム内での仮想的な設備情報（オブジェクトに相当）と、現実の設備１１（アドレスに相当）との対応付けを行うことである。関連付け部２４がアドレスの関連付けを行うことで、制御情報が関連付けられたオブジェクトが操作された場合に、当該オブジェクトに関連付けられたアドレスが割り当てられた設備１１を制御することができる。
【００４９】
なお、アドレスは、建築物に設置される１以上の設備１１の各々に固有に割り当てられた識別情報である。当該識別情報は、ユーザが各々の設備１１に個別に割り当ててもよく、コンピュータ機器が自動的に割り当ててもよい。
【００５０】
グループ化部２５は、複数の設備１１の各々に割り当てられたオブジェクトのグループ化を行う。具体的には、グループ化部２５は、複数のオブジェクトを１以上のグループに分ける。１つのグループには、互いに関連させた制御を行わせる複数の設備１１に対応する複数のオブジェクトが含まれる。グループ化の詳細については、図７を用いて後で説明する。
【００５１】
１つのグループに含まれる複数のオブジェクトに対応する複数の設備１１（すなわち、同一グループに属する設備１１）は、互いに関連して制御される。例えば、同一グループに属する複数の照明器具１０２は、一斉に点灯、一斉に消灯、又は、同じ調光比で調光点灯することができる。あるいは、同一グループに属する複数の照明器具１０２は、所定の照明シーンが設定された場合に、当該照明シーンによって複数の照明器具１０２の各々に割り当てられた調光比及び光色で点灯する。
【００５２】
抽出部２３、関連付け部２４及びグループ化部２５は、例えば、記憶部２１に記憶された制御プログラムを実行するプロセッサなどにより実現されるが、マイクロコンピュータ又は専用回路などにより実現されてもよい。
【００５３】
［管理装置］
管理装置３０は、建築物に設置された１以上の設備１１を管理する装置である。管理装置３０は、建築物に設置された全ての設備１１を管理してもよく、あるいは、一部の設備１１のみを管理してもよい。
【００５４】
また、管理装置３０は、操作端末４０（クライアント）に対するウェブサーバとして機能する。管理装置３０は、操作端末４０からのウェブアクセス要求に対する応答として、制御データ３２に含まれる画面情報（例えば、設備１１の制御画面を生成するための情報）を操作端末４０に送信する。
【００５５】
管理装置３０は、ＬＡＮ又はＰＬＣ（Power Line Communication）などのネットワークを介して管理対象（具体的には、制御対象）の設備１１及び操作端末４０と接続されている。管理装置３０は、例えば、１台以上のコンピュータ機器で構成される。
【００５６】
図１に示すように、管理装置３０は、制御データ３２を記憶する記憶部３１と、制御部３３とを備える。
【００５７】
記憶部３１は、制御データ３２を記憶するための記憶装置であり、例えば、ＨＤＤ又は半導体メモリなどの不揮発性メモリである。なお、記憶部３１には、管理装置３０が実行する制御プログラムなどが格納されていてもよい。
【００５８】
制御データ３２は、複数の設備１１を制御するためのデータである。本実施の形態では、制御データ３２は、情報作成装置２０が作成した画面情報などを含むデータである。
【００５９】
制御部３３は、操作端末４０から送信されるウェブアクセス要求に対する応答として、制御データ３２に含まれる画面情報を送信する。例えば、ウェブアクセス要求には、ユーザが選択した設備１１又は空間を特定するための選択情報が含まれる。制御部３３は、選択情報が示す設備１１又は空間に応じた制御画面を示す画面情報を操作端末４０に送信する。画面情報は、例えば、選択情報が示す設備１１を制御するための制御画面、又は、選択情報が示す空間に含まれる１以上の設備１１を制御するための制御画面を示す情報である。
【００６０】
制御部３３は、複数の設備１１を制御する。具体的には、制御部３３は、図示しない通信ＩＦ（インタフェース）などを介して操作端末４０からユーザによる操作入力を受信する。操作入力には、例えば、特定の設備１１に対する電源のオン又はオフ、機能の変更などの指示が含まれる。制御部３３は、操作入力に含まれる指示に基づいて、設備１１を制御する。
【００６１】
制御部３３は、例えば、記憶部３１に記憶された制御プログラムを実行するプロセッサなどにより実現されるが、マイクロコンピュータ又は専用回路などにより実現されてもよい。
【００６２】
［操作端末］
操作端末４０は、ユーザによって操作される端末機器である。操作端末４０は、ＬＡＮなどのネットワークで管理装置３０と接続されている。操作端末４０は、ウェブアクセス要求を管理装置３０に送信し、その応答として画面情報を受信する。操作端末４０は、受信した画面情報を表示部４１に表示する。操作端末４０は、例えば、スマートフォン、タブレット端末などの携帯端末、又は、パーソナルコンピュータなどのコンピュータ機器である。
【００６３】
図１に示すように、操作端末４０は、表示部４１と、操作受付部４２と、制御部４３とを備える。
【００６４】
表示部４１は、管理装置３０が生成した制御画面などの画像を表示する。表示部４１は、ＬＣＤ（Liquid Crystal Display）又は有機ＥＬ（Electro Luminescence）表示パネルなどである。
【００６５】
本実施の形態では、表示部４１は、操作画面及び制御画面などを表示する。これにより、表示部４１は、構成情報及び設備情報、並びに、設備の動作状態などをユーザに提示することができる。例えば、表示部４１は、ウェブブラウザなどのアプリケーションを実行することで、管理装置３０から送信される画面情報に基づいて制御画面を生成し、生成した制御画面を表示する。
【００６６】
操作受付部４２は、ユーザからの操作入力を受け付けるユーザインタフェース部である。操作受付部４２は、例えば、タッチセンサ、マウスなどのポインティングデバイス、又は、キーボードなどの各種入力装置で構成される。操作受付部４２は、例えば、制御対象となる設備（特定の設備）の選択、又は、当該設備が設置された空間の選択などの操作入力を受け付ける。
【００６７】
制御部４３は、操作受付部４２が受け付けた操作入力に基づいて、ウェブアクセス要求を生成する。制御部４３は、図示しない通信ＩＦなどを介して、ウェブアクセス要求を管理装置３０に送信する。制御部４３は、さらに、通信ＩＦを介して管理装置３０から、表示部４１に表示するための画面情報を取得する。制御部４３は、取得した画面情報に基づいて、表示部４１に制御画面などを表示させる。制御画面の詳細については、図８及び図９を用いて後で説明する。
【００６８】
制御部４３は、例えば、操作端末４０が備える記憶部（図示せず）に格納された制御プログラムを実行するプロセッサなどにより実現されるが、マイクロコンピュータ又は専用回路などにより実現されてもよい。
【００６９】
［オブジェクト（アイコン画像）］
ここで、本実施の形態に係る情報作成システム１０において、制御画面に表示されるオブジェクト（具体的には、アイコン画像）と設備１１との対応関係について説明する。
【００７０】
図４は、本実施の形態に係る情報作成方法によって作成される制御画面に表示されるオブジェクトと設備１１とを対応付けた対応テーブルを示す図である。図４に示す対応テーブルでは、複数の設備１１の各々に対して、互いに異なる複数のオブジェクトが対応付けられている。
【００７１】
対応テーブルは、例えば、ＢＩＭデータ２２に含まれている。あるいは、抽出部２３が実行するプログラムが参照可能な記憶部（例えば、記憶部２１）に、ＢＩＭデータ２２とは別に記憶されていてもよい。
【００７２】
図４では、設備１１の例として、蛍光灯、ダウンライト、調光調色ランプ及び特殊ランプなどの照明設備、パイプ及びファンなどの空調設備を示している。設備１１の動作状態には、設備１１が停止している停止状態と、設備１１が稼働している稼動状態とが含まれる。
【００７３】
ここで、設備１１毎に、動作状態に含まれる状態の個数は異なっていてもよい。
【００７４】
例えば、調光調色ランプの場合、稼働状態が、さらに、調光状態と調色状態とに分けられてもよい。さらに、調光状態は、全点灯状態（調光比が１００％）と、明状態（調光比が５０％以上１００％未満）と、暗状態（調光比が０％より大きく５０％未満）とに分けられてもよい。調色状態は、赤色状態と、緑色状態と、青色状態とに分けられてもよい。稼動状態は、調光状態に含まれる各状態と調色状態に含まれる各状態との組み合わせでもよい。パイプ又はファンなどの空調設備についても同様で、空調設備の稼動状態には、例えば、送風の強度、設定温度などに応じた複数の状態が含まれてもよい。
【００７５】
オブジェクトは、具体的には、アイコン画像である。アイコン画像は、対応する設備１１の制御に用いられる。例えば、アイコン画像は、制御画面２００（図８を参照）に含まれ、ユーザによってアイコン画像が選択した場合に、設備１１の動作状態が変更される。あるいは、アイコン画像が選択された場合に、シーン設定画面２３０（図９を参照）などが表示されて、対応する設備１１に対する各種設定を行うことができる。
【００７６】
アイコン画像は、対応する設備１１の特徴を模式化した画像である。図４に示すように、同一の設備１１に割り当てられた複数のアイコン画像は、共通部分と、相違部分とが含まれる。
【００７７】
共通部分は、設備１１の形状などを模式化した部分であり、アイコン画像の主要な部分である。具体的には、共通部分は、アイコン画像の中央に位置する部分、又は、アイコン画像の半分以上を含む部分などである。
【００７８】
相違部分は、共通部分に追加、削除又は改変された部分である。図４に示す蛍光灯又はダウンライトにおける相違部分は、光の照射状態を示す複数の斜線の有無である。調光調色ランプにおける相違部分は、ＲＧＢを表す円領域の色合い（図４では、網掛けで表現している）と、明るさを表すスライダの位置とである。特殊ランプにおける相違部分は、アイコンの全体的な色合いである。パイプ又はファンにおける相違部分は、パイプ又はファンの回転を表す矢印の有無である。
【００７９】
このように、本実施の形態では、複数の設備１１の各々に対して、動作状態に応じた複数のアイコン画像が準備されている。これにより、アイコン画像を見ることで設備１１の種別及びその動作状態を推定することができるので、ユーザによる設備１１の管理及び制御を補助することができる。
【００８０】
［動作（情報作成方法）］
続いて、本実施の形態に係る情報作成システム１０の動作（情報作成方法）について、図５を用いて説明する。図５は、本実施の形態に係る情報作成システム１０の動作を示すフローチャートである。なお、本実施の形態に係る情報作成方法は、主として情報作成装置２０が実行する。
【００８１】
まず、抽出部２３が画面情報を抽出する（Ｓ１０）。本実施の形態では、抽出部２３は、特定の設備１１が設置される空間を表すレイアウト画像と、特定の設備１１を表すオブジェクト（具体的には、アイコン画像）とを含む画面情報を抽出する。
【００８２】
例えば、抽出部２３は、ＢＩＭデータ２２から図２に示すレイアウト画像１００を抽出する。さらに、抽出部２３は、ＢＩＭデータ２２に含まれる、図４に示す対応テーブルから、特定の設備１１に対応するアイコン画像をオブジェクトとして決定する。例えば、抽出部２３は、特定の設備１１の停止状態に対応するアイコン画像を決定する。
【００８３】
次に、関連付け部２４が設備１１とオブジェクト（アイコン画像）との関連付けを行う（Ｓ１２）。本実施の形態では、関連付け部２４は、図６に示すアドレス入力画面１２０を表示部に表示し、ユーザにアドレスを入力させる。アドレス入力画面１２０については、後で詳細に説明する。
【００８４】
抽出部２３が抽出したレイアウト画像１００に特定の設備１１が複数含まれている場合、関連付け部２４は、レイアウト画像１００に含まれる全ての設備１１の関連付けを行う。これにより、レイアウト画像１００に含まれる全ての設備１１が管理装置３０によって制御可能になる。
【００８５】
次に、グループ化部２５がオブジェクトのグループ化を行う（Ｓ１４）。本実施の形態では、グループ化部２５は、図７に示すグループ化画面１３０を表示部に表示し、ユーザによって、複数の設備１１（照明器具１０２）のグループ化を行う。グループ化画面１３０については、後で詳細に説明する。
【００８６】
以上のステップを行うことで、複数の設備１１を制御するための制御画面（図８を参照）を表示するための画面情報が作成される。情報作成装置２０が作成した画面情報は、管理装置３０に送信されて、管理装置３０の記憶部３１に制御データ３２として記憶される。その後、例えば、操作端末４０からの指示に基づいて、管理装置３０は、適宜制御データ３２を参照することにより、複数の設備１１の制御を行うことができる。
【００８７】
なお、本実施の形態に係る情報作成方法は、図５に示す例に限らない。例えば、オブジェクトの関連付け（Ｓ１２）及びオブジェクトのグループ化（Ｓ１４）を行った後に、画面情報の抽出（Ｓ１０）を行ってもよい。具体的には、関連付け及びグループ化の結果をＢＩＭデータ２２に入力しておいてもよい。これにより、画面情報を抽出した後の設定作業を簡易化又は省略することができる。
【００８８】
［アドレス入力画面］
本実施の形態では、図３に示す複数のパラメータ１１２のうち、アドレスの値１１３の設定を容易にするため、関連付け部２４は、図６に示すアドレス入力画面１２０を生成し、表示部に表示する。ここで、アドレスの値１１３は、設備１１のオブジェクトとアドレスとを関連付けることで設定される。
【００８９】
図６は、本実施の形態に係る情報作成方法におけるアドレス入力画面１２０の一例を示す図である。アドレス入力画面１２０には、レイアウト画像１００と、設備名１２１とが含まれる。
【００９０】
設備名１２１は、例えばドロップダウンリストで示される。ユーザは、ドロップダウンリストの中から特定の設備１１を選択することで、設備名１２１には、選択中の設備１１（ここでは、照明器具１０２）の名称が表示される。
【００９１】
図６に示すように、アドレス入力画面１２０には、さらに、選択した設備１１に関連付けられるアドレス１２２と、決定ボタン１２３及びキャンセルボタン１２４とが含まれる。アドレス１２２は、例えばテキストボックスで示される。ユーザは、選択した設備１１に割り当てられたアドレスの値（例えば、“０１２３４”）をテキストボックスに入力する。
【００９２】
アドレスを入力した後、決定ボタン１２３を押すことで、選択した設備１１のオブジェクトと、アドレスとを関連付けることができる。関連付けられたアドレスの値は、例えば、図３に示す属性情報画面１１０におけるアドレスを示すパラメータ１１２に対応する値１１３として管理される。
【００９３】
なお、アドレスは、建築物に設置される１以上の設備１１の各々に固有に割り当てられた識別情報である。当該識別情報は、ユーザが各々の設備１１に個別に割り当ててもよく、コンピュータ機器が自動的に割り当ててもよい。
【００９４】
［グループ化画面］
本実施の形態では、図３に示す複数のパラメータ１１２のうち、グループを示す値１１３の設定を容易にするため、グループ化部２５は、図７に示すグループ化画面１３０を生成し、表示部に表示する。ここで、グループを示す値１１３は、複数の設備１１をグループ化することで設定される。
【００９５】
図７は、本実施の形態に係る情報作成方法における設備のグループ化画面１３０の一例を示す図である。グループ化画面１３０は、図２に示すレイアウト画像１００と、ポインタ１３１と、決定ボタン１３３及びキャンセルボタン１３４とを含んでいる。ユーザは、マウス、タッチセンサなどのポインティングデバイスを操作することで、ポインタ１３１を移動させることができる。
【００９６】
ポインタ１３１によってグループ化の対象となる１以上の照明器具１０２を選択する。例えば、ポインタ１３１をクリックアンドドラッグによって移動させることで、任意の大きさの選択範囲１３２を形成する。選択範囲１３２を形成した後、決定ボタン１３３を押すことで、選択範囲１３２内に含まれる複数の照明器具１０２ａ〜１０２ｄを１つのグループとしてグループ化することができる。キャンセルボタン１３４は、押された場合に、グループ化処理を中止する。
【００９７】
なお、複数の照明器具１０２の選択方法については、この例に限らない。複数の照明器具１０２を個別にクリック（又はタッチ）することで選択してもよい。これにより、例えば、グループ化の対象である２つの照明器具の間に、グループ化の対象でない照明器具が配置されている場合でも、当該２つの照明器具をグループ化することができる。
【００９８】
また、照明器具１０２をグループ化する例について示したが、グループ化する設備１１は、照明器具１０２に限らず、エアコンなどの空調設備でもよい。また、同種の設備に限らず、エアコンと照明器具とを１つのグループにしてもよい。
【００９９】
このように、レイアウト画像１００上に表示された複数の設備１１を選択することでグループ化が行われるので、直感的な操作で複数の設備１１のグループ化を行うことができる。
【０１００】
［制御画面］
続いて、操作端末４０の表示部４１に表示される制御画面について説明する。
【０１０１】
図８は、本実施の形態に係る情報作成方法によって作成される制御画面２００の一例を示す図である。図８は、制御対象となる設備１１が、図２で示した照明器具１０２である例について示している。
【０１０２】
制御画面２００は、レイアウト画像２１０と、レイアウト画像２１０に重畳されたアイコン画像２２０とを含んでいる。
【０１０３】
レイアウト画像２１０は、図２に示すレイアウト画像１００と同じであり、複数のアイコン画像２２０に対する背景となる背景画像である。レイアウト画像２１０は、表示サイズを拡大又は縮小することができる。これにより、ユーザにとって見やすい大きさで表示させることができる。
【０１０４】
アイコン画像２２０は、複数の照明器具１０２の配置位置に対応する位置に配置されている。アイコン画像２２０は、対応する照明器具１０２の制御用のオブジェクトであり、例えば、選択された場合に、対応する照明器具１０２を点灯させることができる。
【０１０５】
本実施の形態では、アイコン画像２２０とレイアウト画像２１０とが同一レイヤーで形成されている。すなわち、アイコン画像２２０とレイアウト画像２１０とは、１つの画像として形成されている。このため、レイアウト画像２１０の表示サイズが拡大又は縮小された場合に、アイコン画像２２０も追随して拡大又は縮小される。したがって、アイコン画像２２０とレイアウト画像２１０との相対的な位置関係は固定されているので、アイコン画像２２０の配置がずれることを抑制することができる。
【０１０６】
図８に示すアイコン画像２２１は、ユーザが選択したアイコン画像２２０である。本実施の形態では、ユーザが選択したアイコン画像２２１と、選択していないアイコン画像２２０とを視覚的に異ならせている。具体的には、アイコン画像２２１は、アイコン画像２２０を強調した画像である。例えば、アイコン画像２２１は、アイコン画像２２０の縁に沿って太線の枠が付されている。なお、アイコン画像２２０を強調する手段は、これに限定されない。例えば、アイコン画像２２１は、点滅表示されてもよく、拡大表示されてもよい。アイコン画像２２１は、アイコン画像２２０の色を変化させた画像でもよい。
【０１０７】
アイコン画像２２０の選択は、例えば、マウス、タッチセンサなどで個別に選択することで行われる。あるいは、グループ名２０１を選択してもよい。図８には、グループ名２０１を選択するためのドロップダウンリストが含まれている。グループ名２０１をドロップダウンリストの中から選択することで、選択したグループ名２０１のグループに含まれるアイコン画像２２０を一括して選択してもよい。
【０１０８】
制御画面２００は、図８に示すように、さらに、グループ点灯ボタン２０２と、全灯ボタン２０３とが含まれている。グループ点灯ボタン２０２は、ドロップダウンリストで選択されたグループに含まれる全ての照明器具１０２を点灯させるためのボタンである。全灯ボタン２０３は、アイコン画像２２０に対応する全て（ここでは、１２個）の照明器具１０２を点灯させるためのボタンである。
【０１０９】
アイコン画像２２０が通常の選択（例えば、タッチ又はクリック）とは異なる態様（例えば、長押し、ダブルクリック）で選択された場合に、図９に示すシーン設定画面２３０を表示させることができる。図９は、本実施の形態に係る情報作成方法における情報作成方法におけるシーン設定画面２３０の一例を示す図である。
【０１１０】
図９に示すように、シーン設定画面２３０には、選択シーン２３１と選択グループ２３２とが示されている。選択シーン２３１は、シーンの番号をドロップダウンリストで示す。なお、シーンの番号ではなく、シーンの名前などのユーザが理解しやすい表示を利用してもよい。選択グループ２３２は、照明器具１０２が属するグループを示している。
【０１１１】
シーン設定画面２３０には、さらに、調光スライダ２３３と調色スライダ２３４とが含まれている。調光スライダ２３３は、照明器具１０２の調光比を設定するための操作部である。調光スライダ２３３を上下に移動させることによって、調光比を０％（消灯）〜１００％（全点灯）の範囲で設定することができる。調色スライダ２３４は、照明器具１０２の色温度を設定するための操作部である。調色スライダ２３４を上下に移動させることによって、色温度を例えば２７００Ｋ（電球色）〜６５００Ｋ（昼光色）の範囲で設定することができる。
【０１１２】
なお、調光及び調色の範囲は、照明器具１０２の機能に依存し、これらの例に限定されない。また、照明器具１０２が調光及び調色機能のいずれかを有しない場合には、シーン設定画面２３０には、調光スライダ２３３又は調色スライダ２３４が含まれなくてもよい。
【０１１３】
本実施の形態では、シーン設定画面２３０は、さらに、リアルタイム調光の選択ボタン２３５と、再生ボタン２３６とを含んでいる。リアルタイム調光とは、シーン設定画面２３０でされた設定を、実際の照明器具１０２に反映させることである。
【０１１４】
選択ボタン２３５は、具体的にはラジオボタンであり、リアルタイム調光を実行するためのオンボタンと、リアルタイム調光を中止するためのオフボタンとを含んでいる。オンボタンが選択されている場合、調光スライダ２３３又は調色スライダ２３４を操作したときに、各々の調光比及び色温度で照明器具１０２が点灯する。つまり、調光スライダ２３３又は調色スライダ２３４の動きに連動して照明器具１０２の調光比及び色温度が変化する。
【０１１５】
再生ボタン２３６は、シーン設定画面２３０で行った設定で現実の照明器具１０２を点灯させるためのボタンである。例えば、選択ボタン２３５のオフボタンが選択されている場合に、再生ボタン２３６が押されたとき、照明器具１０２は、再生ボタン２３６が押された時点での調光スライダ２３３が示す調光比及び調色スライダ２３４が示す色温度で点灯する。
【０１１６】
シーン設定画面２３０は、さらに、終了ボタン２３７を含んでいる。終了ボタン２３７が押された場合、シーン設定が終了する。例えば、表示部４１には、シーン設定画面２３０が閉じられて、制御画面２００が表示される。
【０１１７】
［効果など］
以上のように、本実施の形態に係る情報作成方法は、建築物の構成を示す情報、及び、当該建築物に設置される１以上の設備１１を示す情報を含むＢＩＭデータ２２から、１以上の設備１１のうちの１つである特定の設備１１が設置される空間を表すレイアウト画像２１０と、特定の設備１１を表すオブジェクトであって、レイアウト画像２１０内の、特定の設備の設置位置に対応する位置に配置されたオブジェクトとを含む画面情報を抽出するステップと、オブジェクトと、特定の設備１１に割り当てられたアドレスとを関連付けるステップとを含む。
【０１１８】
これにより、設備１１が設置される空間を表すレイアウト画像２１０が画面情報に含まれるので、設備１１をリスト表示する場合に比べて、直感性の高い画面を生成することができる。また、画面情報に含まれるオブジェクト（具体的には、アイコン画像２２０）と、設備１１に割り当てられたアドレスとを関連付けるので、オブジェクトを選択又は操作したときに、対応する設備１１の制御が可能になるようにすることができる。このように、本実施の形態に係る情報作成方法によれば、直感性に優れた制御画面２００を簡単に生成することができる。
【０１１９】
なお、また、建築物を建築する際に生成されたＢＩＭデータ２２を利用して制御データ３２を生成するので、制御データ３２を生成するのに必要なコストなどを削減することができるだけでなく、建築物に設置される設備１１を網羅的に制御することができる。したがって、複数の設備１１の管理及び制御を容易に行うことができる。
【０１２０】
また、例えば、抽出するステップでは、特定の設備１１の制御に用いる制御情報をさらに含む画面情報を抽出し、関連付けるステップでは、さらに、オブジェクトと制御情報とを関連付ける。
【０１２１】
これにより、オブジェクトと制御情報とが関連付けられるので、オブジェクトを操作したときに、当該オブジェクトに関連付けられた制御情報に基づいて設備１１を制御することができる。したがって、設備１１の制御を容易に行うことができる。
【０１２２】
また、例えば、情報作成方法は、さらに、オブジェクトのグループ化を行うステップを含む。
【０１２３】
これにより、オブジェクトのグループ化を行うことで、複数の設備１１を関連させて制御することができる。例えば、グループ化された複数の照明器具１０２ａ〜１０２ｄ（図７を参照）を一斉に点灯又は消灯することができる。
【０１２４】
また、例えば、抽出するステップでは、さらに、１以上の設備１１の種別と１以上の設備１１の動作状態との組み合わせ毎に異なる複数のアイコン画像の中から、特定の設備１１の種別と特定の設備１１の動作状態との組み合わせに対応するアイコン画像２２０を、オブジェクトとして決定する。
【０１２５】
これにより、アイコン画像２２０によって設備の種別及び動作状態を表すことができる。したがって、ユーザは、制御画面２００に表示されるアイコン画像２２０を見た場合に、直感的に、設備１１の種類とその動作状態とを把握することができる。
【０１２６】
また、例えば、画面情報は、オブジェクトとレイアウト画像２１０とが同一レイヤーで形成されている。
【０１２７】
これにより、レイアウト画像２１０を拡大又は縮小した場合に、アイコン画像２２０も拡大又は縮小されるので、アイコン画像２２０の配置の偏りなどが発生するのを防ぐことができる。
【０１２８】
また、例えば、本実施の形態に係る情報作成システム１０は、建築物の構成を示す情報、及び、当該建築物に設置される１以上の設備１１を示す情報を含むＢＩＭデータ２２を記憶する記憶部２１と、記憶部２１に記憶されたＢＩＭデータ２２から、１以上の設備１１のうちの１つである特定の設備１１が設置される空間を表すレイアウト画像２１０と、特定の設備１１を表すオブジェクトであって、レイアウト画像２１０内の、特定の設備１１の設置位置に対応する位置に配置されたオブジェクトとを含む画面情報を抽出する抽出部２３と、オブジェクトと、特定の設備１１に割り当てられたアドレスとを関連付ける関連付け部２４とを備える。
【０１２９】
これにより、設備１１が設置される空間を表すレイアウト画像２１０が画面情報に含まれるので、設備１１をリスト表示する場合に比べて、直感性の高い画面を生成することができる。また、画面情報に含まれるオブジェクトと、設備１１に割り当てられたアドレスとを関連付けるので、オブジェクトを選択又は操作したときに、対応する設備１１の制御が可能になるようにすることができる。このように、本実施の形態に係る情報作成方法によれば、直感性に優れた制御画面２００を簡単に生成することができる。
【０１３０】
（変形例１）
以下では、実施の形態に係る情報作成方法の変形例１について図面を用いて説明する。
【０１３１】
図１０は、本変形例に係る情報作成方法によって作成される制御画面３００の一例を示す図である。なお、図１０は、図８と同様に、制御対象となる設備１１が、図２で示した照明器具１０２である例について示している。
【０１３２】
本変形例に係る制御画面３００は、図８に示す制御画面２００と比較して、レイアウト画像２１０の代わりにレイアウト画像３１０を含む点が相違する。以下では、実施の形態との相違点を中心に説明し、同じ点は説明を省略又は簡略化する。
【０１３３】
上記の実施の形態１では、レイアウト画像２１０が空間を２次元で表す例について示したが、図１０に示すように、本実施の形態に係る制御画面３００では、レイアウト画像３１０が空間を３次元で表している。図１０に示すレイアウト画像３１０は、例えば、斜め上方から見た空間を表している。レイアウト画像３１０は、拡大、縮小、回転を自由に行うことができる。これにより、様々な角度から様々な大きさでレイアウト画像３１０を表示することができる。
【０１３４】
このように、本変形例に係る情報作成方法では、レイアウト画像３１０は、空間を３次元で表す画像である。
【０１３５】
これにより、レイアウト画像３１０が空間を三次元で表しているので、ユーザの直感的な理解を助けることができる。例えば、平面図の場合に比べて、制御画面３００の直感性をより高めることができるので、ユーザの理解をより助けることができる。
【０１３６】
なお、複数のアイコン画像２２０は、実施の形態と同様に、レイアウト画像３１０と同一のレイヤーで形成されている。あるいは、複数のアイコン画像２２０は、レイアウト画像３１０とは異なるレイヤーで形成されていてもよい。
【０１３７】
アイコン画像２２０とレイアウト画像３１０とが同一のレイヤーで形成されている場合、レイアウト画像３１０を回転させた場合に、アイコン画像２２０も合わせて回転されてしまうので、アイコン画像２２０を選択しにくくなる恐れがある。これに対して、アイコン画像２２０とレイアウト画像３１０とが異なるレイヤーで形成されている場合には、アイコン画像２２０の向きを常に正位置にすることができ、複数のアイコン画像２２０間の画面内での距離も適切に保つことができる。したがって、ユーザの利便性をより高めることができる。
【０１３８】
（変形例２）
続いて、実施の形態に係る情報作成方法の変形例２について図面を用いて説明する。
【０１３９】
図１１は、本変形例に係る情報作成方法によって作成される制御画面に表示されるアイコン画像と設備との対応を示す図である。
【０１４０】
上記の実施の形態では、１つの設備１１に対して、動作状態毎に異なるアイコン画像が対応付けられているのに対して、本変形例では、図１１に示すように、１つの設備１１に対して、互いにサイズが異なる複数のアイコン画像が対応付けられている。
【０１４１】
具体的には、設備１１と動作状態との組み合わせ毎に、互いにサイズが異なる複数のアイコン画像が対応付けられている。例えば、図１１には、蛍光灯の稼動状態に対して、サイズが異なる３つのアイコン画像が対応付けられている。３つのアイコン画像は、サイズのみが異なっており、アイコン画像が示す模式的な設備の特徴は、全て同じである。
【０１４２】
なお、異なるサイズのアイコン画像の数は、３つに限らない。アイコン画像の数は、２でもよく、４以上でもよい。また、図１１では、蛍光灯の稼動状態に対するアイコン画像を示したが、蛍光灯の停止状態についても同様に、互いにサイズが異なる複数のアイコン画像が対応付けられていてもよい。ダウンライト、エアコンなどのその他の設備と、その動作状態との組み合わせに応じて、互いにサイズが異なる複数のアイコン画像が対応付けられていてもよい。
【０１４３】
図１２は、本変形例に係る情報作成方法によって作成される制御画面２００の一例を示す図である。図１２の（ａ）は、レイアウト画像２１０を縮小して表示する例を示し、（ｂ）は、レイアウト画像２１０を拡大して表示する例を示している。
【０１４４】
本変形例では、抽出部２３は、サイズが異なる複数のアイコン画像の中から、レイアウト画像２１０の表示サイズに応じたサイズのアイコン画像を、オブジェクトとして決定する。具体的には、抽出部２３は、レイアウト画像２１０の表示サイズが小さい場合に、小さいサイズのアイコン画像４２１をレイアウト画像２１０に重畳表示させる。また、抽出部２３は、レイアウト画像２１０の表示サイズが大きい場合に、大きいサイズのアイコン画像４２２をレイアウト画像２１０に重畳表示させる。
【０１４５】
例えば、レイアウト画像２１０とアイコン画像４２１とが同一レイヤーで形成されている場合、レイアウト画像２１０を拡大したとき、アイコン画像４２１も同じ割合で拡大される。拡大率が大きい場合、アイコン画像４２１が粗く表示されてしまう恐れがある。これに対して、本変形例では、拡大率が大きい場合に、サイズが大きいアイコン画像４２２を表示することで、アイコン画像４２１の画質の劣化を抑制することができる。
【０１４６】
また、例えば、レイアウト画像２１０とアイコン画像４２２とが同一レイヤーで形成されている場合、レイアウト画像２１０を縮小したとき、アイコン画像４２２も同じ割合で縮小される。縮小率が大きい（十分に小さく縮小される）場合、アイコン画像４２２のサイズが小さくなって選択しにくくなる恐れがある。これに対して、本変形例では、縮小率が大きい場合に、サイズが小さいアイコン画像４２１を表示することで、適切なサイズでアイコン画像４２１を表示することができる。
【０１４７】
このように、本変形例に係る情報作成方法では、抽出するステップでは、さらに、サイズが異なる複数のアイコン画像の中から、レイアウト画像２１０の表示サイズに応じたサイズのアイコン画像を、オブジェクトとして決定する。
【０１４８】
これにより、レイアウト画像２１０の表示サイズに応じて異なるサイズのアイコン画像が準備されているので、適切なサイズのアイコン画像を表示することができる。
【０１４９】
（その他）
以上、本発明に係る情報作成方法及び情報作成システムなどについて、実施の形態及びその変形例に基づいて説明したが、本発明は、上記の実施の形態などに限定されるものではない。
【０１５０】
例えば、複数の設備１１のグループ化を行わなくてもよい。あるいは、複数の設備１１を階層的にグループ化してもよい。例えば、所定のグループの中に複数の小グループ（例えば、ゾーン）が含まれてもよい。
【０１５１】
また、例えば、オブジェクトは、アイコン画像でなくてもよい。オブジェクトは、例えば、シーン設定画面２３０へのリンクが付されたテキスト又はボタンなどでもよい。この場合に、変形例２と同様に、レイアウト画像２１０の表示サイズに合わせて、テキストなどが適切なサイズで表示されてもよい。例えば、レイアウト画像２１０のサイズによらずに、制御画面２００上で一定のサイズでテキストなどが表示されてもよい。
【０１５２】
また、例えば、上記の情報作成システム１０では、情報作成装置２０が作成した制御データ３２（制御画面情報）に基づいて、操作端末４０の表示部４１が制御画面２００を表示する例について示したが、これに限らない。制御画面２００は、情報作成システム１０とは異なる別の表示装置などによって表示されてもよい。すなわち、本発明は、情報作成システム１０として実現できるだけでなく、情報作成装置２０として実現することもできる。
【０１５３】
あるいは、情報作成装置２０は、管理装置３０及び操作端末４０の少なくとも一方の機能を有してもよい。例えば、情報作成装置２０は、制御データ３２を記憶する記憶部３１と、制御部３３とを備え、複数の設備１１を制御してもよい。また、例えば、情報作成装置２０は、表示部４１と、操作受付部４２とを備え、表示部４１に表示される制御画面２００などを介してユーザから操作入力を受け付けてもよい。
【０１５４】
また、上記の各実施の形態において、各構成要素は、専用のハードウェアで構成されてもよく、あるいは、各構成要素に適したソフトウェアプログラムを実行することによって実現されてもよい。各構成要素は、ＣＰＵ（Ｃｅｎｔｒａｌ  Ｐｒｏｃｅｓｓｉｎｇ  Ｕｎｉｔ）又はプロセッサなどのプログラム実行部が、ハードディスク又は半導体メモリなどの記録媒体に記録されたソフトウェアプログラムを読み出して実行することによって実現されてもよい。
【０１５５】
なお、本発明は、情報作成方法として実現できるだけでなく、情報作成方法に含まれるステップをコンピュータに実行させるためのプログラム、及び、そのプログラムを記録したコンピュータ読み取り可能なＤＶＤ（Ｄｉｇｉｔａｌ  Ｖｅｒｓａｔｉｌｅ  Ｄｉｓｃ）などの記録媒体として実現することもできる。
【０１５６】
つまり、上述した包括的又は具体的な態様は、システム、装置、集積回路、コンピュータプログラム又はコンピュータ読み取り可能な記録媒体で実現されてもよく、システム、装置、集積回路、コンピュータプログラム及び記録媒体の任意な組み合わせで実現されてもよい。
【０１５７】
その他、各実施の形態に対して当業者が思いつく各種変形を施して得られる形態や、本発明の趣旨を逸脱しない範囲で各実施の形態における構成要素及び機能を任意に組み合わせることで実現される形態も本発明に含まれる。
【符号の説明】
【０１５８】
１０  情報作成システム
１１  設備
２２  ＢＩＭデータ
２３  抽出部
２４  関連付け部
２５  グループ化部
１０２、１０２ａ、１０２ｂ、１０２ｃ、１０２ｄ  照明器具（設備）
２１０、３１０  レイアウト画像
２２０、２２１、４２１、４２２  アイコン画像（オブジェクト）
【図１】
0006782464.tif 000002
【図２】
0006782464.tif 000003
【図３】
0006782464.tif 000004
【図４】
0006782464.tif 000005
【図５】
0006782464.tif 000006
【図６】
0006782464.tif 000007
【図７】
0006782464.tif 000008
【図８】
0006782464.tif 000009
【図９】
0006782464.tif 000010
【図１０】
0006782464.tif 000011
【図１１】
0006782464.tif 000012
【図１２】
0006782464.tif 000013